(57)【要約】本願の実施例はカメラアセンブリ及びモバイル端末を提供し、前記カメラアセンブリはカメラモジュール、第１無線伝送モジュール及び第１磁性体を備え、前記カメラモジュールは画像を取得するように構成され、前記第１無線伝送モジュールは前記カメラモジュールに電気的に接続され、データを伝送するように構成される。更に、前記カメラアセンブリは前記カメラモジュールに給電するように構成される無線給電受信モジュール又は電池を備える。
2021531668.tif 000002
【特許請求の範囲】
【請求項１】
カメラアセンブリであって、
カメラモジュール、第１無線伝送モジュール及び第１磁性体を備え、前記カメラモジュールは画像を取得するように構成され、前記第１無線伝送モジュールは前記カメラモジュールに電気的に接続され、データを伝送するように構成される、前記カメラアセンブリ。
【請求項２】
前記カメラアセンブリは無線給電受信モジュール又は電池を備え、前記無線給電受信モジュール又は電池は前記カメラモジュールに給電するように構成される
請求項１に記載のカメラアセンブリ。
【請求項３】
モバイル端末であって、
本体及び請求項１又は２に記載のカメラアセンブリを備え、前記本体はハウジング、第２無線伝送モジュール及び磁気懸架アセンブリを備え、前記本体と前記カメラアセンブリとのデータ伝送を実現するように、前記第２無線伝送モジュールは前記第１無線伝送モジュールと通信接続を確立するように構成され、前記磁気懸架アセンブリは前記カメラアセンブリを浮上状態に維持させるように、前記第１磁性体に作用する磁力を発生させるように構成される、前記モバイル端末。
【請求項４】
前記ハウジングは収容部を備え、前記モバイル端末はハウジングに取り付けられる第２磁性体を備え、前記第２磁性体は前記カメラアセンブリを前記収容部に保持させるように、第１磁性体に対して磁力を発生させるように構成される、
請求項３に記載のモバイル端末。
【請求項５】
前記カメラモジュールは少なくとも２つのレンズを備え、前記カメラアセンブリが前記収容部に位置する場合、２つの前記レンズが垂直方向に沿って配列されており、前記カメラアセンブリが浮上状態にある場合、２つの前記レンズが水平方向に沿って配列されている
請求項４に記載のモバイル端末。
【請求項６】
前記カメラアセンブリは無線給電受信モジュールを備え、前記本体は無線給電送信モジュールを備え、前記無線給電受信モジュールが前記無線給電送信モジュールから送信された電力を受信して、前記カメラモジュールに給電する
請求項３又は４に記載のモバイル端末。
【請求項７】
前記磁気懸架アセンブリが前記本体のいずれか片側に設けられ、前記磁気懸架アセンブリは前記カメラアセンブリを前記ハウジングの上方に浮上させるように、前記第１磁性体に作用する磁力を発生させるように構成される
請求項３又は４に記載のモバイル端末。
【請求項８】
前記磁気懸架アセンブリは少なくとも１つの電磁コイルを備え、前記電磁コイルに通電した後、第１磁性体に対して磁力を発生させ、前記カメラアセンブリを浮上状態に維持させる
請求項３に記載のモバイル端末。
【請求項９】
前記磁気懸架アセンブリは複数の電磁コイルを備え、複数の前記電磁コイルが周方向に沿って配列されている
請求項８に記載のモバイル端末。
【請求項１０】
前記本体は処理ユニット、電源管理ユニット及び位置センサを備え、前記処理ユニットがそれぞれ位置センサ及び電源管理ユニットに電気的に接続され、前記位置センサはカメラアセンブリの本体に対する位置を取得するように構成され、前記プロセッサがカメラアセンブリの本体に対する位置に基づき、電源管理ユニットによって電磁コイルの通電電流を制御する
請求項８に記載のモバイル端末。
【請求項１１】
前記位置センサはジャイロスコープ、重力センサ、加速度センサのうちの少なくとも１つを含む
請求項１０に記載のモバイル端末。
【請求項１２】
前記カメラアセンブリが浮上状態にある場合、前記位置センサは前記本体と前記カメラアセンブリとがなす夾角を検出し、前記夾角が所定閾値より大きい場合、前記処理ユニットが電源管理ユニットによって電磁コイルの通電電流の方向を変え、前記電磁コイルが前記第１磁性体に吸引力を与えるようにする
請求項１０又は１１に記載のモバイル端末。
【発明の詳細な説明】
【技術分野】
【０００１】
（関連出願の相互参照）
本願は、２０１９年０６月２５日に提出した中国特許出願第２０１９１０５５６３２９．９号の優先権を主張し、その内容はその全体が参照により本明細書に組み込まれる。
【０００２】
本願の実施例は通信技術分野に関し、特にカメラアセンブリ及びモバイル端末に関する。
【背景技術】
【０００３】
現在、携帯電話、タブレットＰＣ等のモバイル端末は既に人々の日常生活の中で不可欠なものとなっている。カメラはモバイル端末における不可欠な素子であるが、消費者のカメラ、例えばより高い画素、より広い広角等への要求も高まっている。従来のモバイル端末のカメラの画素、広角等の発展がいずれも新しい階段に入った。画素、広角等の要素以外に、撮影過程においてカメラの軽微な振れでもイメージング品質に厳しく影響する。
【０００４】
従来のカメラの振れ防止方式は主に光学振れ防止であり、つまり、光学素子の設置、例えばレンズの設置によって光学信号をキャプチャする際に生じた計器振れ現象を回避又は減少し、これにより、イメージング品質を向上させる。しかしながら、光学振れ防止は光学レンズを移動することで実現される必要があるため、光学振れ防止システムはコストが高いとともに、光学構造が極めて精密であり、組立要件が極めて高い。
【発明の概要】
【発明が解決しようとする課題】
【０００５】
本願の実施例は振れ防止機能を有するカメラアセンブリ及びモバイル端末を提供する。
【課題を解決するための手段】
【０００６】
本願の実施例はカメラアセンブリを提供し、カメラモジュール、第１無線伝送モジュール及び第１磁性体を備え、前記カメラモジュールは画像を取得するように構成され、前記第１無線伝送モジュールは前記カメラモジュールに電気的に接続され、データを伝送するように構成される。
【０００７】
更に、前記カメラアセンブリは前記カメラモジュールに給電するように構成される無線給電受信モジュール又は電池を備える。
【０００８】
本願の実施例は更にモバイル端末を提供し、前記モバイル端末は本体及び以上に記載のカメラアセンブリを備え、前記本体はハウジング、第２無線伝送モジュール及び磁気懸架アセンブリを備え、前記本体と前記カメラアセンブリとのデータ伝送を実現するように、前記第２無線伝送モジュールは第１無線伝送モジュールと通信接続を確立するように構成され、前記磁気懸架アセンブリは前記カメラアセンブリを浮上状態に維持させるように、前記第１磁性体に作用する磁力を発生させるように構成される。
【０００９】
一実現方式では、前記ハウジングは収容部を備え、前記モバイル端末はハウジングに取り付けられる第２磁性体を備え、前記第２磁性体は前記カメラアセンブリを前記収容部に保持させるように、第１磁性体に対して磁力を発生させるように構成される。
【００１０】
一実現方式では、前記カメラモジュールは少なくとも２つのレンズを備え、前記カメラアセンブリが前記収容部に位置する場合、２つの前記レンズが垂直方向に沿って配列されており、前記カメラアセンブリが浮上状態にある場合、２つの前記レンズが水平方向に沿って配列されている。
【００１１】
一実現方式では、前記カメラアセンブリは無線給電受信モジュールを備え、前記本体はハウジングに設けられる無線給電送信モジュールを備え、前記無線給電受信モジュールが前記無線給電送信モジュールの電力を受信して、前記カメラモジュールに給電する。
【００１２】
一実現方式では、前記磁気懸架アセンブリが前記ハウジングのいずれか片側に設けられ、前記磁気懸架アセンブリは前記カメラアセンブリを前記ハウジングの上方に浮上させるように、第１磁性体に作用する磁力を発生させるように構成される。
【００１３】
一実現方式では、前記磁気懸架アセンブリは少なくとも１つの電磁コイルを備え、電磁コイルに通電した後、第１磁性体に対して磁力を発生させ、前記カメラアセンブリを浮上状態に維持させる。
【００１４】
一実現方式では、前記磁気懸架アセンブリは複数の電磁コイルを備え、複数の前記電磁コイルが周方向に沿って配列されている。
【００１５】
一実現方式では、前記本体は処理ユニット、電源管理ユニット及び位置センサを備え、前記処理ユニットがそれぞれ位置センサ及び電源管理ユニットに電気的に接続され、前記電源管理ユニットが前記電磁コイルに給電し、前記位置センサはカメラアセンブリの本体に対する位置を取得するように構成され、前記プロセッサがカメラアセンブリの本体に対する位置に基づき、電源管理ユニットによって電磁コイルの通電電流を制御する。
【００１６】
一実現方式では、前記位置センサはジャイロスコープ、重力センサ、加速度センサのうちの少なくとも１つを含む。
【００１７】
一実現方式では、前記カメラアセンブリが浮上状態にある場合、前記位置センサは前記本体と前記カメラアセンブリとがなす夾角を検出し、前記夾角が所定閾値より大きい場合、前記処理ユニットが電源管理ユニットによって電磁コイルの通電電流の方向を変え、前記電磁コイルが前記第１磁性体に吸引力を与えるようにする。
【発明の効果】
【００１８】
本願の実施例では、カメラアセンブリに第１磁性体が設けられ、第１磁性体の受けた磁力でカメラアセンブリを浮上状態にさせるため、モバイル端末の本体に軽微な振れ又は揺れが生じても、第１磁性体が等強度磁場内に置かれ、受けた磁力が変化しないため、カメラアセンブリが依然として静止に維持され、それにより良好なイメージング品質を確保し、また、カメラアセンブリを浮上状態に維持することにより新しいユーザー体験をもたらすこともできる。
【図面の簡単な説明】
【００１９】
【図１】図１は本願の実施例のカメラアセンブリの一実施例の斜視図である。
【図２】図２は図１に示されるカメラアセンブリの正面図である。
【図３】図３は本願の実施例のモバイル端末の一実施例の背面図である。
【図４】図４は図３に示されるモバイル端末の斜視図であり、観察都合上、ハウジングを透視化処理して、カメラアセンブリも回転した。
【図５】図５は図３に示されるモバイル端末の磁気懸架アセンブリの正面図である。
【図６】図６は本願の実施例の電磁コイルの通電電流を制御する回路図である。
【図７】図７は図３に示されるモバイル端末の背面図であり、カメラアセンブリが収容部内に位置する。
【図８】図８は図３に示されるモバイル端末の側面図であり、本体がカメラアセンブリに対して傾斜する。
【図９】図９は図３に示されるモバイル端末の正面図であり、レンズが前方に向かっている。
【発明を実施するための形態】
【００２０】
ここで例示的な実施例を詳しく説明し、その例を図面に示す。以下の説明は図面に関わる場合、特に断りがない限り、異なる図面における同じ数字が同様又は類似の要素を示す。以下の例示的な実施例に説明される実施形態は本願の実施例に一致するすべての実施形態を代表しない。逆に、それらが単に添付の特許請求の範囲に詳しく説明した、本願の実施例のいくつかの態様に一致する装置の例である。
【００２１】
本願の実施例に使用される用語は特定の実施例を説明するためのものであり、本願の実施例を制限するためのものではない。特に決定しない限り、本願の実施例に使用される技術用語又は科学用語は当業者の理解する通常の意味であるべきである。本願の実施例の明細書及び特許請求の範囲に使用される「第１」、「第２」及び類似の用語はいかなる順序、数量又は重要性を示すためのものではなく、異なる構成部分を区別するためのものである。同様に、「１つ」又は「一」等の類似の用語も数量を制限するためのものではなく、少なくとも１つあることを示すためのものである。「複数」又は「いくつか」は２つ及び２つ以上を示す。「包括」又は「包含」等の類似の用語は現在の「包括」又は「包含」前の素子又は物品が「包括」又は「包含」の後に列挙した素子又は物品及びその等価物を含み、他の素子又は物品を排除しないように意図される。「接続」又は「連結」等の類似の用語は物理的又は機械的接続に限らず、直接又は間接的な電気接続を含んでもよい。コンテクストに他の意味を明確に示さない限り、本願の実施例の明細書及び添付の特許請求の範囲に使用される単数形式の「１種」、「前記」及び「該」も複数形式を含むように意図される。本明細書に使用される用語「及び／又は」は１つ又は複数の関連する列挙した項目を含む任意又はすべての可能な組み合わせを指すと更に理解すべきである。
【００２２】
本願の実施例はモバイル端末、例えば携帯電話、タブレットＰＣ、スマートウェアラブル端末等に適用されるカメラアセンブリを提供する。カメラアセンブリはカメラモジュール、第１無線伝送モジュール及び第１磁性体を備え、前記第１無線伝送モジュールは前記カメラモジュールに電気的に接続され、データを伝送するように構成される。本願の実施例では、カメラアセンブリに第１磁性体が設けられ、第１磁性体の受けた磁力でカメラアセンブリを浮上状態にさせることができ、モバイル端末の本体に軽微な振れ又は揺れが生じても、第１磁性体が依然として等強度磁場内に置かれ、受けた磁力も変化しないため、カメラアセンブリが依然として静止に維持され、それにより良好なイメージング品質を確保し、また、カメラアセンブリを浮上状態に維持することにより新しいユーザー体験をもたらすこともできる。本願の実施例では、「磁性体」は永久磁石及び電磁石を含み、「磁力」は永久磁石により発生した磁力も含むし、電磁石により発生した電磁力も含む。
【００２３】
図１及び図２に示すように、本実施例のカメラアセンブリ１はカメラモジュール１１、カメラモジュール１１に接続される第１無線伝送モジュール１３、第１磁性体１４及び無線給電受信モジュール１５を備え、ここで、「接続」は直接接続であってもよく、接続素子による間接的な接続であってもよく、更にその収納スペースに嵌め込まれてもよい。前記無線給電受信モジュール１５がそれぞれカメラモジュール１１及び第１無線伝送モジュール１３に電気的に接続され、前記第１磁性体１４が第１無線伝送モジュール１３と無線給電受信モジュール１５との間に位置する。前記無線給電受信モジュール１５は電力を受信して、前記カメラモジュール１１及び前記第１無線伝送モジュール１３に給電するように構成され、前記カメラモジュール１１は画像を取得するように構成される。前記第１無線伝送モジュール１３はモバイル端末に対合接続されてデータ伝送を行って、モバイル端末へ撮影した画像を伝送し、モバイル端末から送信された様々な制御信号を受信するように構成される。
【００２４】
前記カメラモジュール１１はレンズ１２、光学レンズ、イメージング素子、回路基板、モータ等の構造を備え、第１無線伝送モジュール１３がカメラモジュール１１の回路基板に電気的に接続される。本実施例では、レンズ１２の数が２つであり、２つのレンズ１２がそれぞれズームレンズ及び望遠レンズであり、他の実施例では、カメラモジュール１１の数が更に１つ又は２つ以上であってもよい。
【００２５】
前記第１無線伝送モジュール１３は例えば近距離ミリ波無線伝送モジュール、ＮＦＣ（Ｎｅａｒ  Ｆｉｅｌｄ  Ｃｏｍｍｕｎｉｃａｔｉｏｎ、近距離無線通信）モジュール、ブルートゥース（登録商標）モジュール、ＺｉｇＢｅｅモジュール、ＷｉＦｉモジュール等であり、無線方式でデータ伝送を行う。他の実施例では、第１無線伝送モジュール１３は更に無線給電受信モジュール１５に給電しなくてもよく、例えば第１無線伝送モジュール１３はＮＦＣモジュールであり、無線周波数信号によって電圧を誘導することで給電する。
【００２６】
前記第１無線伝送モジュール１３は例えばコイルであり、モバイル端末の電力を受信し、つまり、電磁場を利用して電力を伝送することができ、原理的に変圧器と同様である。他の実施例では、電池で無線給電受信モジュール１５を代替して、カメラモジュール１１及び第１無線伝送モジュール１３に直接給電してもよい。
【００２７】
第１磁性体１４と第１無線伝送モジュール１３との間の電磁場が互いに影響することを回避するために、それらの間に金属シールド素子を設置してもよいと理解される。
【００２８】
カメラアセンブリ１のデータ伝送、給電がいずれも他の部材に依存しないため、第１磁性体１４の受けた等強度磁場の磁力でカメラアセンブリ１を浮上状態に維持させることができ、撮影時にモバイル端末の本体に小幅な振れ又は揺れが生じても、第１磁性体１４が依然として等強度磁場内に置かれ、第１磁性体１４の受けた磁力も変化しないため、カメラアセンブリ１が依然として静止状態に維持され、それによりカメラモジュール１１のイメージング品質を確保する。
【００２９】
一方、本願の実施例は更にモバイル端末を提供し、本体及び上記いずれか１つの実施例のカメラアセンブリを備える。図３〜図４に示すように、本実施例では、モバイル端末は例えば携帯電話であり、本体２及びカメラアセンブリ１を備える。前記本体２はハウジング２１と、ハウジング２１に取り付けられる第２無線伝送モジュール２２、磁気懸架アセンブリ２３及び無線給電送信モジュール２４とを備え、前記磁気懸架アセンブリ２３が第２無線伝送モジュール２２と無線給電送信モジュール２４との間に位置する。前記第２無線伝送モジュール２２は前記本体２と前記カメラアセンブリ１とのデータ伝送を実現するように、第１無線伝送モジュール１３と通信接続を確立するように構成され、前記磁気懸架アセンブリ２３は前記カメラアセンブリ１を浮上状態に維持させるように、第１磁性体１４に作用する磁力を発生させるように構成され、前記無線給電送信モジュール２４は無線給電受信モジュール１５へ電力を伝送するように構成される。
【００３０】
無論、モバイル端末は更にディスプレイ２５、処理ユニット２６、電源管理ユニット２９、記憶ユニット、電池等の素子を備え、ハウジング２１がモバイル端末のケーシングである。前記第２無線伝送モジュール２２の伝送プロトコルは第１無線伝送モジュール１３の伝送プロトコルに一致し、例えば近距離データ伝送モジュール、ＮＦＣモジュール、ブルートゥース（登録商標）モジュール、ＺｉｇＢｅｅモジュール、ＷｉＦｉモジュールである。前記無線給電送信モジュール２４がコイルである。
【００３１】
前記磁気懸架アセンブリ２３は少なくとも１つの電磁コイルを備え、電磁コイルに通電した後、磁性体に対して磁力を発生させ、所定領域内に等強度磁場を提供するように構成され、該所定領域内において、磁場強度及び磁場方向が同様又は略同様であり、等強度磁場が第１磁性体１４に作用した磁力で前記カメラアセンブリ１を浮上状態に維持させる。
【００３２】
図５に示すように、前記磁気懸架アセンブリ２３は複数の電磁コイル２３１を備え、複数の前記電磁コイル２３１が周方向に沿って配列されており、本実施例では、電磁コイル２３１の数が４つであり、前記カメラアセンブリ１が浮上状態にある場合、第１磁性体１４が磁気懸架アセンブリ２３の中心に位置合わせされる。前記電磁コイル２３１に通電した後、磁力を発生させ、この時の磁力が反発力であり、磁力の水平分力でカメラアセンブリ１の水平方向における受け力をゼロにして静止を維持させ、磁力の垂直分力が重力を相殺して、カメラアセンブリ１の垂直方向における受け力をゼロにして静止を維持させることに用いられる。他の実施例では、磁気懸架アセンブリ２３は複数の永久磁石で構成されてもよく、又は、永久磁石と電磁石とで構成される場合、同様にカメラアセンブリ１の受けた合力をゼロにして静止を維持させることができる。
【００３３】
ユーザーがモバイル端末で撮影するとき、不注意によってモバイル端末の本体２を軽微に振れる恐れがあるが、本体２の軽微な振れによる磁気懸架アセンブリ２３の変位量は無視してもよく、等強度磁場が基本的に変化せず、つまり、第１磁性体１４が依然として等強度磁場内に置かれ、第１磁性体１４の受けた磁力も変化しないため、磁気懸架アセンブリ２３の提供する磁力で依然としてカメラアセンブリ１を浮上状態にさせて静止を維持することができる。
【００３４】
図５及び図６に示すように、好ましくは、前記本体２は更に処理ユニット２６に電気的に接続される位置センサ２７を備え、電池が電源管理ユニット２９によって各電磁コイル２３１に給電する。前記位置センサ２７はカメラアセンブリ１の本体２に対する位置を取得するように構成され、処理ユニット２６がカメラアセンブリ１の本体２に対する位置に基づき、電源管理ユニット２９によって各電磁コイル２３１の通電電流を調整することにより、第１磁性体１４の受けた磁力を調整し、カメラアセンブリ１の受けた合力をゼロにして常に静止を維持させ、本体２に大幅な振れ又は揺れが生じて、第１磁性体１４を上記等強度磁場から離脱させても、調整後の磁力で依然としてカメラアセンブリ１を静止状態に維持させることができる。
【００３５】
本実施例では、前記位置センサ２７はジャイロスコープ、重力センサ、加速度センサのうちの少なくとも１つを含む。従来のモバイル端末に一般的にジャイロスコープ、重力センサ、加速度センサ等のセンサが配置されるため、素子コスト及び組立コストを増加させることがない。
【００３６】
図８に示すように、前記カメラアセンブリ１が浮上状態にある場合、前記位置センサ２７、例えばジャイロスコープは前記本体２と前記カメラアセンブリ１とがなす夾角αを検出し、夾角αは前記本体２の中心線（又は、略中心線）と前記カメラアセンブリ１の中心線（又は、略中心線）とがなす角度であり、ここで、中心線が垂直中心線であってもよく、水平中心線であってもよい。前記夾角αが所定閾値より大きい場合、前記処理ユニット２６は電源管理ユニット２９によって電磁コイル２３１の通電電流を制御し、前記電磁コイル２３１が前記第１磁性体１４に作用した磁力の大きさ及び／又は方向等のパラメータを変える。所定閾値は実験によって測定されてもよく、つまり、前記夾角αが所定閾値以下である場合、カメラアセンブリ１が本体２の上方に安定して浮上できる。
【００３７】
例えば、本体２の上端がユーザーに向かって傾斜する場合、前記本体２と前記カメラアセンブリ１とがなす夾角αは所定閾値より大きく、ユーザー側寄り電磁コイル２３１と第１磁性体１４との距離が減少することに応じて、第１磁性体１４に対して発生した磁力が増加し、処理ユニット２６が電源管理ユニット２９によってユーザー側寄り電磁コイル２３１の通電電流を減少させ又はユーザー側を離れる電磁コイル２３１の通電電流を増加させ、それにより前記電磁コイル２３１が前記第１磁性体１４に作用した磁力を変え、カメラアセンブリ１の受け力をゼロにして静止を維持させ、つまり、依然として浮上状態にする。
【００３８】
一実施例では、前記カメラアセンブリ１が浮上状態にある場合、前記位置センサ２７は前記本体２と前記カメラアセンブリ１とがなす夾角αを検出し、前記夾角αが所定閾値より大きい場合、前記処理ユニット２６が電源管理ユニット２９によって電磁コイル２３１の通電電流の方向を変えることにより、前記電磁コイル２３１が前記第１磁性体１４に吸引力を与えることに応じて、カメラアセンブリ１もα回転して本体２の上端に吸着され、それによりカメラアセンブリ１が落下して損傷することを回避する。ただし、ユーザーが撮影角度のため本体２の角度を能動的に調整する必要がある可能性があり、カメラアセンブリ１を本体２に一致する角度に回転することにより、ユーザーの撮影角度の変化への要求を満たすことができる。
【００３９】
本実施例では、前記磁気懸架アセンブリ２３が前記ハウジング２１の上側に設けられ、前記磁気懸架アセンブリ２３は前記カメラアセンブリ１を前記ハウジング２１の上側に浮上させるように、第１磁性体１４に作用する磁力を発生させるように構成される。他の実施例では、様々なニーズに応じて、前記磁気懸架アセンブリ２３が前記ハウジング２１のいずれか片側に設けられ、例えばいずれか１つの側壁に設けられ又はいずれか１つの側壁の内部に設けられ、側壁はハウジング２１の上下左右の４つの壁を含む。ユーザーがどのように本体２を握るかに関わらず、いずれもカメラアセンブリ１を本体２の上方に浮上させることができる。
【００４０】
図３、図４及び図７に示すように、前記ハウジング２１は前記カメラアセンブリ１を収納するように構成される収容部２１１を備え、前記本体２は更にハウジング２１に取り付けられる第２磁性体２８を備え、前記第２磁性体２８が収容部２１１内に設けられ又は収容部２１１に隣接し、前記第２磁性体２８は第１磁性体１４に対して磁力を発生させて、前記カメラアセンブリ１を前記収容部２１１内に保持するように構成され、つまり、カメラアセンブリ１がモバイル端末の本体２に取り外し可能に接続され、収容部２１１に収納される場合、磁吸力で固定する。カメラアセンブリ１が使用されていない際に収容部２１１に収納されてもよい。無論、カメラアセンブリ１が収容部２１１に収納されている際に撮影又は撮像に使用されてもよく、第１無線伝送モジュール１３と第２無線伝送モジュール２２との距離が依然として小さいため、それらが依然としてデータ伝送を行うことができる。また、収容部２１１内には、カメラモジュール１１に給電するように、無線給電受信モジュール１５へ電力を伝送するように構成される他の無線給電送信モジュール２４が設置される。
【００４１】
なお、カメラアセンブリ１が浮上状態にある場合、２つのレンズ１２が水平方向に沿って配列されており、前記カメラアセンブリ１が前記収容部２１１内に位置する場合、２つのレンズ１２が垂直方向に沿って配列されている。ユーザーは必要に応じてレンズ１２の配列方式、すなわち水平配列又は垂直配列を選択してもよく、本体２を回転せずにユーザーの水平撮影又は垂直撮影ニーズを満たすことができる。
【００４２】
図３及び図９に示すように、図３に示されるカメラモジュール１１のレンズ１２が本体２の後方に向かっている。ユーザーはカメラアセンブリ１をその垂直中心線に対して１８０度回転して、前記カメラモジュール１１のレンズ１２を本体２の前方に向かわせ、つまり、ユーザーに対向させてもよく、これにより、自分撮り又はビデオチャットを許容する。つまり、本願の実施例のモバイル端末は前置カメラを別に設置する必要がなく、それにより前置カメラの素子コスト及び組立コストを削減し、且つ前置カメラを設置しないため、モバイル端末の画面占有率の向上に役立ち、良好なユーザー体験を実現する。なお、カメラモジュール１１の規格が従来のモバイル端末の後置カメラの規格に相当するため、イメージング品質も従来の前置カメラのイメージング品質より良い。
【００４３】
以上の説明は本願の実施例の好適な実施例であって、本願の実施例を制限するためのものではなく、本願の実施例の趣旨及び原則内に行ったいかなる修正、等価置換、改良等は、いずれも本願の実施例の保護範囲内に含まれるべきである。
【産業上の利用可能性】
【００４４】
本願の実施例では、カメラアセンブリに第１磁性体が設けられ、第１磁性体の受けた磁力でカメラアセンブリを浮上状態にさせるため、モバイル端末の本体に軽微な振れ又は揺れが生じても、第１磁性体が依然として等強度磁場内に置かれ、受けた磁力も変化しないため、カメラアセンブリが依然として静止に維持され、それにより良好なイメージング品質を確保し、また、カメラアセンブリを浮上状態に維持することにより新しいユーザー体験をもたらすこともできる。
【図１】
2021531668.tif 000003
【図２】
2021531668.tif 000004
【図３】
2021531668.tif 000005
【図４】
2021531668.tif 000006
【図５】
2021531668.tif 000007
【図６】
2021531668.tif 000008
【図７】
2021531668.tif 000009
【図８】
2021531668.tif 000010
【図９】
2021531668.tif 000011
【国際調査報告】
2021531668.tif 000012
2021531668.tif 000013
2021531668.tif 000014
2021531668.tif 000015